(57)【要約】【課題】光ディスクと安定化板との吸着状態を容易に検出でき、安定した情報信号の記録再生ができる光ディスク装置および光ディスクの吸着判定方法を提供する。【解決手段】光ディスク装置は、ＲＦ回路部と、フォーカスＳ字信号検出器と、吸着判定器とを具備する。ＲＦ回路部は、安定化板によって面振れを抑制される光ディスクに向けて出射された光の反射光に基づいてフォーカスエラー信号を生成する。フォーカスＳ字信号検出器は、フォーカスエラー信号に現れるフォーカスＳ字信号を検出する。吸着判定器は、フォーカスＳ字信号の検出回数と検出間隔とのうちの少なくとも一方に基づいて、光ディスクと安定化板とが吸着しているか否かを判定する。【選択図】図３
2010238286.tif 000002
【特許請求の範囲】
【請求項１】
安定化板によって面振れを抑制される光ディスクに向けて出射された光の反射光に基づいてフォーカスエラー信号を生成するＲＦ回路部と、
前記フォーカスエラー信号に現れるフォーカスＳ字信号を検出するフォーカスＳ字信号検出器と、
前記フォーカスＳ字信号の検出回数と検出間隔とのうちの少なくとも一方に基づいて、前記光ディスクと前記安定化板とが吸着しているか否かを判定する吸着判定器と
を具備する
光ディスク装置。
【請求項２】
前記光ディスクは、記録層を備え、
前記吸着判定器は、前記光の焦点が前記記録層と前記安定化板との間にあるときに検出される前記フォーカスＳ字信号の検出回数に基づいて、前記光ディスクと前記安定化板とが吸着しているか否かを判定する
請求項１に記載の光ディスク装置。
【請求項３】
前記フォーカスＳ字信号の検出間隔に基づいて、前記フォーカスＳ字信号を出現させる反射面間の距離を算出する距離算出器をさらに具備し、
前記光ディスクは、記録層を備え、
前記距離算出器は、前記安定化板に対応するフォーカスＳ字信号と前記記録層に対応するフォーカスＳ字信号とに基づいて、前記安定化板と前記記録層との距離を算出し、
前記吸着判定器は、前記安定化板と前記記録層との距離に基づいて前記光ディスクと前記安定化板とが吸着しているか否かを判定する
請求項１または請求項２に記載の光ディスク装置。
【請求項４】
前記光を出射する光源と、
前記光の光軸に沿って移動しながら前記光を集光する対物レンズと、
前記反射光を検出する光検出器と
をさらに具備し、
前記フォーカスＳ字信号検出器は、前記光の焦点が前記安定化板の前記光源側の面より前記光源寄りの位置にあるときから前記光の焦点が前記記録層の位置にあるときまで前記フォーカスＳ字信号を検出し、
前記吸着判定器は、前記フォーカスＳ字信号検出器が前記記録層に対応するフォーカスＳ字信号を検出したとき、前記光ディスクと前記安定化板とが吸着しているか否かを判定する
請求項２または請求項３に記載の光ディスク装置。
【請求項５】
前記光ディスクの記録層の層数がＮと判明しているとき、
前記フォーカスＳ字信号検出器は、所定の範囲に出現する前記フォーカスＳ字信号を検出し、
前記吸着判定器は、前記フォーカスＳ字信号の検出回数がＮ＋２のとき、前記光ディスクと前記安定化板とが吸着していると判定する
請求項１に記載の光ディスク装置。
【請求項６】
前記光ディスクと前記安定化板とが吸着していることを外部に示す表示部をさらに具備する
請求項１から請求項５のいずれかに記載の光ディスク装置。
【請求項７】
安定化板によって面振れを抑制される光ディスクに向けて出射された光の反射光に基づいてフォーカスエラー信号を生成するステップと、
前記フォーカスエラー信号に現れるフォーカスＳ字信号を検出するステップと、
前記フォーカスＳ字信号の検出回数と検出間隔とのうちの少なくとも一方に基づいて、前記光ディスクと前記安定化板とが吸着しているか否かを判定するステップと
を具備する
光ディスクの吸着判定方法。
【請求項８】
前記光ディスクは、記録層を備え、
前記判定するステップは、前記光の焦点が前記記録層と前記安定化板との間にあるときに検出される前記フォーカスＳ字信号の検出回数に基づいて、前記光ディスクと前記安定化板とが吸着しているか否かを判定するステップを備える
請求項７に記載の光ディスクの吸着判定方法。
【請求項９】
前記フォーカスＳ字信号の検出間隔に基づいて、前記フォーカスＳ字信号を出現させる反射面間の距離を算出するステップをさらに具備し、
前記光ディスクは、記録層を備え、
前記算出するステップは、前記安定化板に対応するフォーカスＳ字信号と前記記録層に対応するフォーカスＳ字信号とに基づいて、前記安定化板と前記記録層との距離を算出するステップを備え、
前記判定するステップは、前記安定化板と前記記録層との距離に基づいて前記光ディスクと前記安定化板とが吸着しているか否かを判定するステップを備える
請求項７または請求項８に記載の光ディスクの吸着判定方法。
【請求項１０】
光源から前記光を出射するステップと、
前記光の光軸に沿って移動しながら前記光を集光するステップと、
前記反射光を検出するステップと
をさらに具備し、
前記検出するステップは、前記光の焦点が前記安定化板の前記光源側の面より前記光源寄りの位置にあるときから前記光の焦点が前記記録層の位置にあるときまで前記フォーカスＳ字信号を検出するステップを備え、
前記判定するステップは、前記記録層に対応するフォーカスＳ字信号が検出されたとき、前記光ディスクと前記安定化板とが吸着しているか否かを判定するステップを備える
請求項８または請求項９に記載の光ディスクの吸着判定方法。
【請求項１１】
前記光ディスクの記録層の層数がＮと判明しているとき、
前記検出するステップは、所定の範囲に出現する前記フォーカスＳ字信号を検出するステップを備え、
前記判定するステップは、前記フォーカスＳ字信号の検出回数がＮ＋２のとき、前記光ディスクと前記安定化板とが吸着していると判定するステップを備える
請求項７に記載の光ディスクの吸着判定方法。
【請求項１２】
前記光ディスクと前記安定化板とが吸着していることを外部に表示するステップをさらに具備する
請求項７から請求項１１のいずれかに記載の光ディスクの吸着判定方法。
【発明の詳細な説明】
【技術分野】
【０００１】
本発明は、可撓性を有する光ディスクを駆動する光ディスク装置および光ディスクの吸着判定方法に関する。
【背景技術】
【０００２】
近年、テレビ放送のデジタル化が開始されるなど、情報のデジタル化に伴う光ディスクの大容量化、すなわち光ディスクに記録される情報の高密度化に対する要求が高まっている。この要求に対する主な方策としては、記録／再生のために用いられる光のスポット径を小さくすることが挙げられる。
【０００３】
光のスポット径を小さくするには、その波長を短くすること、対物レンズの開口数（ＮＡ：Ｎｕｍｅｒｉｃａｌ  Ａｐｅｒｔｕｒｅ）を大きくすることが有効である。光の波長については、ＣＤ（Ｃｏｍｐａｃｔ  Ｄｉｓｃ）では近赤外光（例えば７８０ｎｍ近傍の波長の光）が用いられ、ＤＶＤ（Ｄｉｇｉｔａｌ  Ｖｅｒｓａｔｉｌ  Ｄｉｓｃ）では赤色光（例えば６５０ｎｍ近傍の波長の光）が用いられる。最近では、ＢＤ（Ｂｌｕ−ｒａｙ  Ｄｉｓｃ）、ＨＤＤＶＤ（Ｈｉｇｈ  Ｄｅｆｉｎｉｔｉｏｎ  ＤＶＤ）において、青色光（４００ｎｍ近傍の波長の光）が用いられている。また、対物レンズについては、ＣＤ用の対物レンズのＮＡは０．５未満であり、ＤＶＤ、ＨＤＤＶＤ用の対物レンズのＮＡは０．６程度である。ＢＤ用の対物レンズのＮＡは０．８５程度と、次第に大きくなっている。しかし、これ以上の短波長化、高ＮＡ化には限界がきている。これ以上に光のスポット径を小さくすることは難しい状況となってきている。そこで、今後の大容量化に対応するために、体積当たりの密度をあげる研究が行われ始めている。
【０００４】
このような背景から、薄膜シートに記録面を形成した薄型光ディスクの開発が進められている。薄型光ディスクは、可撓性を有し、面ぶれを起こしやすい。このような薄型光ディスクを安定化板（スタビライザ）上で回転させて、光ディスクの面ぶれを抑制する光ディスク駆動技術が提案されている。
【０００５】
この薄型光ディスクは、回転駆動装置に取り付けられ、薄型光ディスクから情報信号を再生するとき、回転駆動装置により回転駆動される。薄型光ディスクの回転駆動時の状態を安定化させるために、薄型光ディスクの近傍に安定化板が配される。
【０００６】
安定化板は、薄型光ディスクの面のうち、レーザ光が入射する側の面に対向するように、薄型光ディスクに対してほぼ平行に配される。そして、この安定化板は、薄型光ディスクに対向する面が平面になっている。すなわち、薄型光ディスクは、薄型光ディスクに対向する面が平面になっている安定化板に近接して回転する。
【０００７】
安定化板１１７は、図１に示されるように、従来の光ディスクと同様円盤状の形状をしており、中心孔の周りに微細な孔が開いている。また、図２に示されるように、安定化板１１７は、薄型光ディスクに照射されるレーザ光が透過する位置に配置されることになるため、厚さ５００μｍ程度の透過率の高いガラスでできている。
【０００８】
薄型光ディスク１０１から情報信号を再生するときは、安定化板１１７に近接した位置で回転駆動される薄型光ディスク１０１に対して、光源からレーザ光が照射される。そして、その反射光は、光検出器上に集光される。光検出器に入射する光の強度変化を検出して、薄型光ディスクに記録されていた情報信号の再生がなされる。
【０００９】
安定化板１１７と薄型光ディスク１０１とは、回転すると離れる。図２に示されるように、安定化板１１７と薄型光ディスク１０１との間を空気が流れ、薄型光ディスク１０１と安定化板１１７との距離は、全面均一に保たれる。その時の安定化板１１７と薄型光ディスク１０１との距離は、１００〜３００μｍである。安定化板１１７の中心孔の周りの微細な孔の開け方を調整することによって、その範囲内の所定の距離に数１０ｎｍの精度で設定することができる。
【００１０】
このような薄型光ディスク記録再生装置では、安定化板１１７が薄型光ディスク１０１に近接して回転するため、安定化板１１７の中心孔の周りにある微細な孔を通った空気が、安定化板１１７と薄型光ディスク１０１との間を通る。そのため、ベルヌーイ効果により、薄型光ディスク１０１は、安定化板１１７と一定の間隔を保ちながら安定して回転することが可能となる。したがって、回転駆動時の薄型光ディスクの面ぶれは、非常に小さく抑えられる。このように、この薄型光ディスク記録再生装置では、薄型光ディスクの回転駆動時の面ぶれが抑えられるので、安定した情報信号の記録再生が可能となる。
【００１１】
しかし、薄型光ディスク１０１と安定化板１１７との間に流れる空気による摩擦や薄型光ディスク１０１と安定化板１１７との接触などにより、薄型光ディスク１０１と安定化板１１７との間に静電気が発生し、薄型光ディスク１０１を安定化板が吸着することがある。
【００１２】
安定化板１１７が薄型光ディスクを吸着した状態で記録再生しようとした場合、トラック引き込みに失敗して薄型光ディスク１０１の記録再生ができない可能性がある。また、トラック引き込みに成功したとしても、記録再生性能が出ない可能性がある。
【００１３】
また、安定化板１１７が薄型光ディスク１０１を吸着した状態で薄型光ディスク１０１を取り外そうとすると、薄型光ディスク１０１を安定化板１１７から強制的にはがすことになり、薄型光ディスク１０１が破損する可能性がある。
【００１４】
可撓性光ディスクに対して記録または再生を行う光ディスク装置に関する技術が、特開２００３−００６９０３号公報に開示されている。この光ディスク装置は、回転駆動手段と、光ピックアップと、安定化板とを備えている。回転駆動手段は、可撓性光ディスクを回転駆動する。光ピックアップは、可撓性光ディスクと対向配置され、可撓性光ディスクとの対向面が平坦面となっているスライダを有し、このスライダに可撓性光ディスクに対して記録または再生のための光を集光する集光手段が設けられている。安定化板は、可撓性光ディスクにおける光ピックアップ側とは反対側において可撓性光ディスクと対向配置され、可撓性光ディスクとの対向面が平坦面となっている。
【００１５】
また、特開２００３−３３８１６５号公報には、光ディスク駆動安定化装置に関する技術が開示されている。この光ディスク駆動安定化装置は、回転駆動手段と、安定化手段とを備え、安定化手段として光ディスク方向に突出する突出部材を用いた光ディスク駆動安定化装置である。回転駆動手段は、可撓性を有するシート状の光ディスクを回転させる。安定化手段は、光ディスクの記録面とは反対面側に設置され、少なくとも光ディスクにおける書込あるいは読取が行われる部位における回転軸方向の振れを空気流の圧力差を生起させることによって安定化させる。感知手段は、突出部材と光ディスクとの接触圧力を感知し、退避手段は、感知手段によってあらかじめ設定されている閾値以上の接触圧力が感知された場合に、突出部材を光ディスク面から退避させる。
【００１６】
フォーカスＳ字信号を利用する光ディスク装置は、例えば、特開２００７−１４１３４７号公報に記載されている。この光ディスク装置は、記録・再生に使用される光波長が異なる複数種類の光ディスク媒体を光学的に記録・再生する、波長が異なる２以上の光源を有する。この光ディスク媒体は、光透過性を有する基板又はカバー層と、基板又はカバー層の光入射側とは反対側の面に光学的に情報を記録する情報記録層を少なくとも１層備えている。この光ディスク装置は、フォーカスＳ字信号検出手段と、層数判定手段を備える。フォーカスＳ字信号検出手段は、２以上の光源のうちの所定の波長の光源を用いてフォーカスサーチを行い、フォーカスＳ字信号を検出する。所定の波長の光源は、情報記録層を複数層備える光ディスク媒体の光入射面からの距離が最も遠い情報記録層に光を照射した際に、基板又はカバー層に照射した光量と、最も遠い情報記録層で反射して基板又はカバー層から出射される光量との比が最も高くなる波長の光源である。層数判定手段は、フォーカスＳ字信号の出現回数に基づいて、情報記録層の数を判定する。
【先行技術文献】
【特許文献】
【００１７】
【特許文献１】特開２００３−００６９０３号公報
【特許文献２】特開２００３−３３８１６５号公報
【特許文献３】特開２００７−１４１３４７号公報
【発明の概要】
【発明が解決しようとする課題】
【００１８】
本発明の目的は、上記問題点を解決し、光ディスクと安定化板との吸着状態を容易に検出でき、安定した情報信号の記録再生ができる光ディスク装置および光ディスクの吸着判定方法を提供することにある。
【課題を解決するための手段】
【００１９】
本発明の観点では、光ディスク装置は、ＲＦ回路部と、フォーカスＳ字信号検出器と、吸着判定器とを具備する。ＲＦ回路部は、安定化板によって面振れを抑制される光ディスクに向けて出射された光の反射光に基づいてフォーカスエラー信号を生成する。フォーカスＳ字信号検出器は、フォーカスエラー信号に現れるフォーカスＳ字信号を検出する。吸着判定器は、フォーカスＳ字信号の検出回数と検出間隔とのうちの少なくとも一方に基づいて、光ディスクと安定化板とが吸着しているか否かを判定する。
【００２０】
本発明の他の観点では、光ディスクの吸着判定方法は、生成するステップと、検出するステップと、判定するステップとを具備する。生成するステップでは、安定化板によって面振れを抑制される光ディスクに向けて出射された光の反射光に基づいてフォーカスエラー信号が生成される。検出するステップでは、フォーカスエラー信号に現れるフォーカスＳ字信号が検出される。判定するステップでは、フォーカスＳ字信号の検出回数と検出間隔とのうちの少なくとも一方に基づいて、光ディスクと安定化板とが吸着しているか否かが判定される。
【発明の効果】
【００２１】
本発明によれば、光ディスクと安定化板との吸着状態を容易に検出し、安定した情報信号の記録再生ができる光ディスク装置および光ディスクの吸着判定方法を提供することができる。
【図面の簡単な説明】
【００２２】
【図１】薄型光ディスク装置で使用される安定化板の形状を示す図である。
【図２】動作中の薄型光ディスクと安定化板との位置関係を示す図である。
【図３】本発明の実施の形態に係る薄型光ディスク装置の構成を示す図である。
【図４】対物レンズをフォーカス方向に移動させたときのフォーカスエラー信号の変化を示す図である。
【図５】吸着している場合に対物レンズをフォーカス方向に移動させたときのフォーカスエラー信号の変化を示す図である。
【図６】薄型光ディスク装置の吸着判定の動作を示す図である。
【図７】２層の記録層を有する薄型光ディスクで対物レンズをフォーカス方向に移動させたときのフォーカスエラー信号の変化を示す図である。
【図８】薄型光ディスク装置の吸着判定の動作を示す図である。
【発明を実施するための形態】
【００２３】
以下、本発明の実施の形態について、図面を参照しながら詳細に説明する。
【００２４】
図３に本発明の実施の形態に係る薄型光ディスク装置１００の概略構成が示される。薄型光ディスク装置１００は、装填される薄型光ディスク１０１および安定化板（スタビライザ）１１７を回転させて、薄型光ディスク１０１に情報を記録し、情報を薄型光ディスク１０１から再生する。ここでは、記録再生機能に関する説明は省略される。
【００２５】
薄型光ディスク装置１００は、回転駆動装置１０２、サーボ駆動系１０３、サーボコントローラ１０４、システムコントローラ１０５、ＬＤ駆動部１０６、ＲＦ回路部１０７、スレッドモータ１０８、光ヘッド１１３を備える。光ヘッド１１３は、対物レンズアクチュエータ１０９、ビームスプリッタ１１０、レーザダイオード（ＬＤ）１１１、光検出器１１２を含む。
【００２６】
レーザダイオード１１１は、青色光（４０５ｎｍ）の波長のレーザ光を発光する。光検出器１１２は、薄型光ディスク１０１から入射する反射光を検出する。ビームスプリッタ１１０は、レーザダイオード１１１から出力された光を対物レンズ１２３に導くと共に、薄型光ディスク１０１から入射する反射光を光検出器１１２に向けて通過させる。
【００２７】
対物レンズアクチュエータ１０９は、対物レンズ１２３をフォーカス方向及びトラック方向に駆動する。回転駆動装置１０２は、薄型光ディスク１０１及び安定化板１１７を回転させる。スレッドモータ１０８は、光ヘッド１１３を薄型光ディスク１０１の半径方向に移動させる。
【００２８】
サーボコントローラ１０４は、対物レンズアクチュエータ１０９をコントロールする制御信号をサーボエラー信号に基づいて生成し、サーボ駆動系１０３に供給する。また、サーボコントローラ１０４は、フォーカスＳ字信号検出手段に相当するフォーカスＳ字信号検出器１１５と、距離算出手段に相当する距離算出器１１４とを備える。フォーカスＳ字信号検出器１１５は、フォーカスエラー信号及び反射光量に基づいて、フォーカスＳ字信号（Ｓ字カーブ、Ｓ字信号、フォーカスＳ字と称されることもある）の有無を判定する。距離検出器１１４は、フォーカスＳ字信号の出現位置を測定する。
【００２９】
サーボ駆動系１０３は、サーボコントローラ１０４から供給される制御信号に基づいて、対物レンズアクチュエータ１０９を駆動する。ＬＤ駆動部１０６は、レーザダイオード１１１を駆動する。ＲＦ回路部１０７は、光検出器１１２から出力される信号に基づいて、サーボエラー信号及びＢＣＡ（Ｂｕｒｓｔ  Ｃｕｔｔｉｎｇ  Ａｒｅａ）信号を生成する。システムコントローラ１０５は、装置全体を統括する。また、システムコントローラ１０５は、吸着判定手段に相当する吸着判定器１１６を備えている。吸着判定器１１６は、フォーカスＳ字信号検出器１１５および距離算出器１１４において測定された情報に基づいて、安定化板１１７と薄型光ディスク１０１とが吸着しているか否かを判定する。吸着していると判定された場合、システムコントローラ１０５は、薄型光ディスク装置内の図示されない表示機能に対して吸着していることを通知し、吸着状態が外部に示される。
【００３０】
フォーカスＳ字信号検出器１１５は、以下に示されるように、フォーカスＳ字信号の有無を判断する。フォーカスＳ字信号検出器１１５には、フォーカスＳ字信号の有無を判定するために、フォーカスエラー信号に対する２つの閾値と、反射光の光量を示す和信号に対する１つの閾値とが設定されている。前者の２つの閾値として、フォーカスエラー信号の電気的中立位置から上下の所定の電圧に閾値が設定される。上側の閾値は、フォーカスエラー信号の最大値よりも低く設定され、下側の閾値は、フォーカスエラー信号の最小値よりも高く設定される。後者の閾値として、反射光量の総和をとった和信号に対して、その最大値と最小値との間に和信号閾値が設定される。フォーカスＳ字信号の有無は、フォーカスエラー信号が上側の閾値を上回った後に下回り、下側の閾値を下回った後に上回り、更に、和信号が和信号閾値を越えたことで判断できる。すなわち、フォーカスエラー信号の振幅が上下の閾値の範囲を超えて振れ、反射光量の和信号が和信号閾値を上回ると、フォーカスＳ字信号が有ると判定される。
【００３１】
また、フォーカスＳ字信号検出器１１５は、フォーカスＳ字信号が出現した回数をカウントし、そのときの和信号の振幅を記憶している。図４は、対物レンズ１２３をフォーカス方向に移動させたときのフォーカスエラー信号の変化の様子を示している。ここでは、対物レンズ１２３を安定化板１１７から遠い位置、すなわち、レーザ光の焦点位置が安定化板１１７に達していない状態から薄型光ディスク１０１に近づく方向に対物レンズ１２３が駆動される場合を説明する。
【００３２】
ここで、説明を簡単にするために、レーザ光の入射面である安定化板１１７の対物レンズ１２３に近い側の面をＡ面とし、安定化板１１７の対物レンズ１２３から離れた側の面をＢ面とする。また、薄型光ディスク１０１の安定化板１１７に近い側のディスク面、ここではカバー層１２の安定化板１１７に近い面をＣ面とし、薄型光ディスク１０１の記録層１４をＤ面とする。したがって、安定化板１１７のＢ面と、薄型光ディスク１０１のＣ面とは、空気の層を挟んで対面している。なお、ここでは、Ｂ面に対面する薄型光ディスク１０１のＣ面は、カバー層１２の面としたが、薄型光ディスク１０１の場合、カバー層１２は、基板であることもある。これらの面に対応してフォーカスＳ字信号が出現する。
【００３３】
安定化板１１７の厚さ（Ａ面−Ｂ面の距離）は、５００μｍとする。薄型光ディスク１０１のディスク面を示すＣ面から記録層１４を示すＤ面までの厚さは、１００μｍとする。Ｂ面とＣ面との間隙は、２００μｍに設定されているものとする。
【００３４】
安定化板１１７に薄型光ディスク１０１が吸着していない場合、図４に示されるように、安定化板１１７の対物レンズ１２３に対面する面であるＡ面にレーザ光の焦点が合焦し、その位置でフォーカスＳ字信号Ａが観測される。その後、安定化板１１７の薄型光ディスク１０１に対面する面であるＢ面にレーザ光の焦点が合焦してフォーカスＳ字信号Ｂが観測される。次に、薄型光ディスク１０１の基板面であるＣ面にレーザ光の焦点が合焦して対応するフォーカスＳ字信号Ｃが観測される。その後、薄型光ディスク１０１の記録層１４であるＤ面でレーザ光の焦点が合焦してフォーカスＳ字信号Ｄが観測される。したがって、安定化板１１７に薄型光ディスク１０１が吸着していない場合には４箇所の位置でフォーカスＳ字信号が観測される。
【００３５】
しかし、図５に示されるように、安定化板１１７に薄型光ディスク１０１が吸着している場合、安定化板１１７のＢ面と、薄型光ディスク１０１のＣ面との２箇所で観測されるフォーカスＳ字信号が、１箇所でしか観測されない。したがって、吸着状態の場合には、Ａ面に対応するフォーカスＳ字信号Ａと、Ｂ面／Ｃ面に対応するフォーカスＳ字信号Ｂと、Ｄ面に対応するフォーカスＳ字信号Ｄとの３箇所にフォーカスＳ字信号が観測される。
【００３６】
薄型光ディスク１０１の記録層１４が２層の場合でも、対物レンズ１２３と記録層１４との間に、Ａ面、Ｂ面、Ｃ面がある。したがって、記録層１４が１層の場合と同じように、吸着していない場合には、対物レンズ１２３に近い記録層１４に対応するフォーカスＳ字信号を含めて、フォーカスＳ字信号は、４箇所で観測され、吸着している場合には３箇所で観測される。
【００３７】
したがって、図６に示されるように、フォーカスＳ字信号の出現回数を観測することにより安定化板１１７と薄型光ディスク１０１との吸着状態を確認することができる。すなわち、まず、薄型光ディスク装置１００に安定化板１１７および薄型光ディスク１０１がセットされると、回転駆動装置１０２は、薄型光ディスク１０１および安定化板１１７を回転させる（ステップＳ１２）。
【００３８】
ＬＤ駆動部１０６は、レーザダイオード１１１を駆動して青色光ビームを薄型光ディスク１０１に照射する（ステップＳ１４）。
【００３９】
サーボ駆動系１０３は、サーボコントローラ１０４から供給される制御信号に基づいて、対物アクチュエータ１０９を駆動して対物レンズ１２３をフォーカス方向に薄型光ディスク１０１に向けて移動する（ステップＳ１６）。サーボコントローラ１０４は、対物レンズ１２３によってレーザ光が合焦する位置が一定速度で薄型光ディスク１０１に向かって移動するように、サーボ駆動系１０３を制御する。これによって、フォーカスＳ字信号を検出する時間に基づいてその距離を算出することができる。例えば、サーボコントローラ１０４は、図示されないタイマにより、安定化板１１７のＡ面に対応するフォーカスＳ字信号Ａが観測されてから、薄型光ディスク１０１の記録層１４（Ｄ面）でフォーカスＳ字信号Ｄが観測されるまでの時間を測定する。その時間に基づいて、Ａ面からＤ面までの距離が算出される。
【００４０】
ＲＦ回路部１０７は、反射光に基づいて光検出器１１２が検出した信号からフォーカスエラー信号を生成する。フォーカスＳ字信号検出器１１５は、フォーカスエラー信号に基づいて、フォーカスＳ字信号を観測する（ステップＳ１８）。すなわち、フォーカスＳ字信号検出器１１５は、フォーカスエラー信号及び反射光量に基づいて、フォーカスＳ字信号の有無を判定し、検出数をカウントする。
【００４１】
さらに、フォーカスＳ字信号検出器１１５は、記録層１４に対応するフォーカスＳ字信号が検出されたか否かを判定する（ステップＳ２２）。記録層１４に対応するフォーカスＳ字信号は、他の面に対応するフォーカスＳ字信号に比べて振幅が大きく、また、フォーカスＳ字信号を検出したときの和信号の振幅も大きく、区別することができる。
【００４２】
検出されたフォーカスＳ字信号が記録層１４に対応するフォーカスＳ字信号Ｄでなければ（ステップＳ２２−Ｎｏ）、さらに対物レンズ１２３を移動させながらフォーカスＳ字信号の観測は続行される。検出されたフォーカスＳ字信号が記録層１４に対応するフォーカスＳ字信号Ｄである場合（ステップＳ２２−Ｙｅｓ）、フォーカスＳ字信号検出器１１５は、それまでに検出されたフォーカスＳ字信号の検出数をシステムコントローラ１０５の吸着判定器１１６に通知する。このとき、距離算出器１１４は、各フォーカスＳ字信号を検出した位置に関する情報を吸着判定器１１６に通知することが好ましい。
【００４３】
吸着判定器１１６は、フォーカスＳ字信号の出現数に基づいて、安定化板１１７と薄型光ディスク１０１との吸着状態を判定する（ステップＳ２４）。図４に示されるように、記録層１４に対応するフォーカスＳ字信号Ｄを含め、それまでにフォーカスＳ字信号Ａ〜Ｄの４つの信号が出現している場合、吸着判定器１１６は、安定化板１１７と薄型光ディスク１０１とは吸着していないと判定する。図５に示されるように、記録層１４に対応するフォーカスＳ字信号Ｄを含め、それまでにフォーカスＳ字信号Ａ、Ｂ、Ｄの３つの信号しか検出されなかった場合、吸着判定器１１６は、安定化板１１７と薄型光ディスク１０１とが吸着していると判定する。
【００４４】
また、安定化板１１７のＡ面あるいはＢ面と、記録層１４のＤ面との距離を参照して吸着状態を判定することもできる。安定化板１１７の厚さは５００μｍ、Ｂ面−Ｃ面間の距離は最短１００μｍであり、Ｃ面−Ｄ面間の距離は１００μｍであるから、吸着していない場合にはＡ面−Ｄ面間の距離は、最短７００μｍであり、吸着状態の場合には６００μとなる。したがって、この６００〜７００μｍの適当な値を閾値として、測定したＡ面-Ｄ面間距離がその閾値以下の場合に、安定化板１１７と薄型光ディスクとが吸着していると判定できる。すなわち、吸着判定器１１６は、測定したＡ面-Ｄ面間距離とその閾値とを比較して吸着状態を判定することができる。さらに、フォーカスＳ字信号の出現数と、記録層１４までの距離とを組み合わせて、吸着状態を精度良く判定することもできる。Ａ面−Ｄ面の距離以外にもＢ面−Ｄ面の距離、Ａ面−Ｃ面の距離、Ｂ面−Ｃ面の距離で判定しても良いが、吸着状態のときにはＢ面とＣ面との区別ができないため、判定の基準にはＡ面−Ｄ面の距離が容易である。
【００４５】
薄型光ディスク１０１の記録層１４の層数が判明している場合、フォーカスＳ字信号の出現数だけで吸着状態にあるか否かを判定することができる。例えば、図７に示されるように、２層の記録層１４を有する薄型光ディスク１０１の場合、５箇所でフォーカスＳ字信号が出現する。すなわち、対物レンズ１２３側から薄型光ディスク１０１側に向かってレーザ光の焦点を移動していくと、まず安定化板１１７の対物レンズ１２３側の面であるＡ面に対応するフォーカスＳ字信号Ａが出現する。次に、安定化板１１７の薄型光ディスク１０１側の面であるＢ面に対応するフォーカスＳ字信号Ｂが出現する。さらに、薄型光ディスク１０１のディスク面であるＣ面に対応してフォーカスＳ字信号Ｃが出現する。そして、２層の記録層１４（光源に近い側の記録層をＤ面、遠い側の記録層をＥ面とする）に対応するフォーカスＳ字信号Ｄ、Ｅが出現する。
【００４６】
このうち、フォーカスＳ字信号Ａ、フォーカスＳ字信号Ｄ、フォーカスＳ字信号Ｅは、吸着状態によらずに検出され、フォーカスＳ字信号Ｂ、フォーカスＳ字信号Ｃは、安定化板１１７と薄型光ディスク１０１とが吸着しているときには区別ができず、１つのフォーカスＳ字信号として検出される。すなわち、記録層１４の層数をＮとすると、フォーカスＳ字信号は、安定化板１１７に薄型光ディスク１０１が吸着していない場合にはＮ＋３個出現し、吸着している場合にはＮ＋２個出現する。なお、薄型光ディスク１０１の光源から遠い面まで焦点を移動すると、さらにフォーカスＳ字信号を検出することになるが、ここでは、その手前でフォーカスＳ字信号の検出をやめるものとする。
【００４７】
したがって、図８に示されるように、記録層１４に対応するフォーカスＳ字信号か否かを判定しなくても、記録層１４の層数が判明していれば吸着状態を判定することができる。図８に示されるステップＳ１２〜Ｓ１８は、図６に示されるステップＳ１２〜Ｓ１８と同じであるが、再度説明する。
【００４８】
まず、薄型光ディスク装置１００に安定化板１１７および薄型光ディスク１０１がセットされると、回転駆動装置１０２は、薄型光ディスク１０１および安定化板１１７を回転させる（ステップＳ１２）。
【００４９】
ＬＤ駆動部１０６は、レーザダイオード１１１を駆動して青色光ビームを薄型光ディスク１０１に照射する（ステップＳ１４）。
【００５０】
サーボ駆動系１０３は、サーボコントローラ１０４から供給される制御信号に基づいて、対物アクチュエータ１０９を駆動して対物レンズ１２３をフォーカス方向に薄型光ディスク１０１に向けて移動する（ステップＳ１６）。この場合においてもサーボコントローラ１０４は、対物レンズ１２３によってレーザ光が合焦する位置が一定速度で薄型光ディスク１０１に向かって移動するように、サーボ駆動系１０３を制御する。これによって、フォーカスＳ字信号を観測する範囲を移動時間によって設定することができる。
【００５１】
ＲＦ回路部１０７は、反射光に基づいて光検出器１１２が検出した信号からフォーカスエラー信号を生成する。フォーカスＳ字信号検出器１１５は、フォーカスエラー信号に基づいて、フォーカスＳ字信号を観測する（ステップＳ１８）。すなわち、フォーカスＳ字信号検出器１１５は、フォーカスエラー信号及び反射光量に基づいて、フォーカスＳ字信号の有無を判定し、検出数をカウントする。
【００５２】
さらに、サーボコントローラ１０４は、距離算出器１１４が算出した距離が所定の距離に達したか否か判定する（ステップＳ３２）。所定の距離まで移動していなければ（ステップＳ３２−Ｎｏ）、さらに対物レンズ１２３を移動しながらフォーカスＳ字信号の観測を続行する。所定の距離に達すると（ステップＳ３２−Ｙｅｓ）、フォーカスＳ字信号検出器１１５は、それまでに検出されたフォーカスＳ字信号の検出数をシステムコントローラ１０５の吸着判定器１１６に通知する。このとき、距離算出器１１４は、各フォーカスＳ字信号を検出した位置に関する情報を吸着判定器１１６に通知することが好ましい。
【００５３】
吸着判定器１１６は、フォーカスＳ字信号の出現数に基づいて、安定化板１１７と薄型光ディスク１０１との吸着状態を判定する（ステップＳ３４）。先に説明したように、記録層１４の層数がＮ層の場合、Ｎ＋３個のフォーカスＳ字信号を検出すると、安定化板１１７と薄型光ディスク１０１との吸着はなく、Ｎ＋２個しかフォーカスＳ字信号を検出できなければ、薄型光ディスク１０１は安定化板１１７に吸着していると吸着判定器１１６は判定する。
【００５４】
このように、記録層の層数が判明している場合には、フォーカスＳ字信号の検出数だけでも安定化板１１７と薄型光ディスク１０１との吸着状態を判定することができる。なお、記録層の層数が判明していれば、最後に検出されたフォーカスＳ字信号から層数分の信号が記録層に対応するフォーカスＳ字信号であると推定できるため、そのフォーカスＳ字信号の出現タイミングから安定化板１１７と記録層との距離を算出でき、判定条件に距離を入れることによって、より精度よく吸着状態を判定することができる。
【００５５】
安定化板１１７に薄型光ディスク１０１が全面的に吸着している場合は、上述の手順を１度行うことで判定することができるが、部分的に吸着している場合は、判定できるとは限らない。すなわち、観測した部分が吸着してなければ、他の部分が吸着していても吸着状態にないと判定される。したがって、１箇所だけの測定ではなく、多箇所にわたって観測することが好ましい。多箇所にわたって測定して、１箇所でも吸着状態が検出された場合、吸着状態と判定されることが好ましい。
【００５６】
上述のように、本発明によれば、光ディスクと安定化板との吸着状態を容易に検出でき、安定した記録再生を行うことができる光ディスク装置および光ディスクの吸着判定方法を提供することができる。
【符号の説明】
【００５７】
１２  カバー層
１４  記録層
１６  基板
１００  薄型光ディスク装置
１０１  薄型光ディスク
１０２  回転駆動装置
１０３  サーボ駆動系
１０４  サーボコントローラ
１０５  システムコントローラ
１０６  ＬＤ駆動部
１０７  ＲＦ回路部
１０８  スレッドモータ
１０９  対物レンズアクチュエータ
１１０  ビームスプリッタ
１１１  レーザダイオード
１１２  光検出器
１１３  光ヘッド
１１４  距離算出器
１１５  フォーカスＳ字信号検出器
１１６  吸着判定器
１１７  安定化板
１２３  対物レンズ
【図１】
2010238286.tif 000003
【図２】
2010238286.tif 000004
【図３】
2010238286.tif 000005
【図４】
2010238286.tif 000006
【図５】
2010238286.tif 000007
【図６】
2010238286.tif 000008
【図７】
2010238286.tif 000009
【図８】
2010238286.tif 000010